(57)【要約】【課題】  簡易な卓球を手軽に行うことができるテーブルを提供する。【解決手段】  上面を互いに略等しい２つの領域に分ける位置に、雑誌又は新聞等の仕切り物（３）が挿入され、該仕切り物の厚さと略等しい幅を有するスリット部（１１）が形成された天板（１０）と、スリット部に挿入された仕切り物と当接して、仕切り物の一部を天板の上面から突出させる受け部材（２３）とを有することを特徴とする。【選択図】  図１
2006314579.tif 000002
【特許請求の範囲】
【請求項１】
上面を互いに略等しい２つの領域に分ける位置に、雑誌又は新聞等の仕切り物が挿入され、該仕切り物の厚さと略等しい幅を有するスリット部が形成された天板と、
前記スリット部に挿入された前記仕切り物と当接して、前記仕切り物の一部を前記天板の上面から突出させる受け部材とを有することを特徴とするテーブル。
【請求項２】
前記受け部材は、互いに向かい合い、前記仕切り物の厚さと略等しい間隔で配置された側壁部を有することを特徴とする請求項１に記載のテーブル。
【請求項３】
前記スリット部が直線状又は波形状に形成されていることを特徴とする請求項１に記載のテーブル。
【請求項４】
前記側壁部は、前記スリット部の形状に応じた形状に形成されていることを特徴とする請求項２又は３のいずれかに記載のテーブル。
【発明の詳細な説明】
【技術分野】
【０００１】
本発明は、簡易な卓球を手軽に行うことのできるテーブルに関するものである。
【背景技術】
【０００２】
卓球を行う場合には、卓球専用の卓球台と、専用ネットと、卓球台に取り付けられ、専用ネットを支持する支柱とを用意する必要がある。しかし、卓球台、専用ネットおよび支柱は、正式な卓球を行うときに用いられる専用の部材であって、高価であるため、簡易な卓球を楽しむ場合には不向きである。
【０００３】
ここで、簡易な卓球を行う場合としては、卓球ボール及び卓球ラケットだけを用意して、テーブル上でラリーを行うことがある。しかし、単にテーブル上で卓球を行う場合には、上述した専用ネットに相当する物が無いため、ラリーを続けることが困難となり、卓球の面白さに欠けてしまう。
【０００４】
すなわち、本来ならば専用ネット等によって遮られる打球も相手側に向かってしまうとともに、打球の速度も専用ネット等がある場合に比べて速くなってしまう。そして、このような打球を打ち返すことは難しいため、ラリーを続けることが困難となってしまう。
【０００５】
そこで、テーブル上に専用ネットに相当する仕切り物、例えば、タバコの箱や本を立てた状態で卓球を行うことが考えられる。この場合には、仕切り物を超えるように卓球ボールを打つ必要があるため、打球速度の抑制等によってラリーを続けることが可能となる。
【発明の開示】
【発明が解決しようとする課題】
【０００６】
テーブル上に配置される仕切り物としては、仕切り物を立てたときに容易に倒れない程度の厚みを有したものを用いなければならない。すなわち、仕切り物として、辞書のように厚みがあるものを用いれば、仕切り物をテーブル上に立たせておくことができ、卓球ボールが衝突しても倒れてしまうことは少ない。
【０００７】
しかし、テーブルを用いて簡易な卓球を手軽に行う場合において、辞書等は身近に置いてあることが少なく、雑誌などのように厚みの薄いものが身近に置いてあることの方が多い。しかも、仕切り物として辞書等を用いる場合には、テーブルの上面を２つの領域に仕切るために、複数の辞書等を用意しなければならない。
【０００８】
このような状況において、仕切り物として厚みの薄い雑誌を用いた場合には、雑誌を立てたとしても、テーブルの揺れ等によって倒れてしまい、雑誌を立て直さなければならない。
【０００９】
また、テーブル上にタバコの箱や本等の仕切り物を立てただけでは、卓球ボールが仕切り物に衝突したときに、仕切り物が倒れてしまい、仕切り物を立て直さなければならず面倒である。
【００１０】
そこで、本発明の目的は、雑誌等の仕切り物を用いて簡易な卓球を手軽に行うことができるテーブルを提供することにある。
【課題を解決するための手段】
【００１１】
本発明のテーブルは、上面を互いに略等しい２つの領域に分ける位置に、雑誌又は新聞等の仕切り物が挿入され、該仕切り物の厚さと略等しい幅を有するスリット部が形成された天板と、スリット部に挿入された仕切り物と当接して、仕切り物の一部を天板の上面から突出させる受け部材とを有することを特徴とする。
【００１２】
ここで、受け部材に、互いに向かい合い、仕切り物の厚さと略等しい間隔で配置された側壁部を設けることができる。また、スリット部を直線状又は波形状に形成することができ、側壁部をスリット部の形状に対応した形状に形成することができる。
【発明の効果】
【００１３】
本発明によれば、雑誌や新聞などの仕切り物を天板のスリット部に挿入し、受け部材に当接させることにより、仕切り物を天板の上面から突出させることができるとともに、スリット部によって仕切り物を挟んだ状態で支持することができる。これにより、仕切り物を卓球専用ネットの代わりとして用いて、テーブル上で簡易な卓球を手軽に行うことができる。
【００１４】
スリット部の幅を仕切り物の厚さと略等しくしているため、仕切り物はスリット部によって、天板の上面に対して略直交する面内で立たせておくことができ、卓球ボールが仕切り物に衝突しても仕切り物が倒れてしまうこともない。したがって、従来のように仕切り物を立て直すといった面倒な作業を行う必要がなくなる。
【００１５】
ここで、スリット部を波形状に形成すれば、仕切り物に曲率をもたせた状態で支持することができ、仕切り物の剛性を向上させることができる。すなわち、仕切り物として１枚の紙を用いても、天板から突出した紙の先端側が折れ曲がってしまうのを抑制することができる。
【発明を実施するための最良の形態】
【００１６】
以下、本発明の実施例について説明する。
【実施例１】
【００１７】
図１は、本発明の実施例１であるテーブルの外観斜視図であり、図２は、本実施例のテーブルの側面図である。図３は、本実施例のテーブルの上面図であって、天板を支持する支持ユニットの一部を点線で示している。
【００１８】
本実施例のテーブル１は、天板１０と、天板１０を支持する支持ユニット２０とを有している。まず、天板１０の構成について説明する。
【００１９】
天板１０には、図１及び図３に示すように、スリット部１１が形成されている。スリット部１１は、天板１０の長手方向（図３の左右方向）と略直交する方向に延びており、天板１０の上面を、互いに略等しい大きさの領域に分割する位置に形成されている。また、スリット部１１の両端は、天板１０の側縁部よりも内側に位置している。
【００２０】
本実施例における天板１０は、図４（Ａ）に示すように、第１の天板部材１２及び第２の天板部材１３で構成されており、各天板部材１２、１３の連結部分１２ａ、１３ａにはビスケット（不図示）が差し込まれる穴部１３ａ１（連結部分１２ａの穴部については不図示）が形成されている。ここで、連結部分１２ａ、１３ａの端面はスリット部１１の側壁とつながっている。
【００２１】
また、図４（Ｂ）に示すように、第１及び第２の天板部材１２、１３における連結部分１２ａ、１３ａの端部には、先端側に向かって細くなるような傾斜面１２ａ２、１３ａ２が形成されている。
【００２２】
上述した構成の第１及び第２の天板部材１２、１３をビスケットを用いて連結することによって、天板１０が構成される。なお、本実施例では、天板１０を、第１及び第２の天板部材１２、１３で構成しているが、１つの板状部材で構成してもよい。また、天板は、いかなる形状でもよく、例えば、長方形、正方形や円形とすることができる。
【００２３】
次に、支持ユニット２０の構成について説明する。図５は、支持ユニット２０の構成を示す外観斜視図であり、図６は、支持ユニット２０における一部の構成を示す側面図である。
【００２４】
支持ユニット２０における４つの脚部材２１は、天板１０や棚部材２２を支持している。脚部材２１の長さ、すなわち、天板１０の高さは、適宜設定することができる。例えば、専用の卓球台の高さに設定したり、応接セットに用いられるテーブルのように高さが比較的低い値に設定したりすることができる。
【００２５】
図５に示すように、棚部材２２の両端側の領域は、両端部が卓球テーブル１の下側に位置するように、曲げ形成されている。そして、棚部材２２には、卓球ボール（不図示）がはまり込む複数の穴部２２ａが形成されている。
【００２６】
穴部２２ａには、上述したように卓球ボールを配置しておくことができるが、穴部２２ａを他の用途に用いることもできる。例えば、卓球用ラケット（不図示）のグリップ部を穴部２２ａに挿入させておくこともできる。また、穴部２２ａに対してテーブル１の下側には、曲げ形成された棚部材２２の端部が位置しているため、この端部及び穴部２２ａによって筆記具等を支持させておくこともできる。
【００２７】
受け部材２３は、天板１０のスリット部１１に対応した位置に設けられており、上面に形成された開口部２３ａ（図６参照）はスリット部１１と略等しい大きさとなっている。受け部材２３は、断面形状が図６に示すような形状となるように、平板状の部材を折り曲げることによって形成される。すなわち、受け部材２３は、互いに向かい合う２つの側壁部２３ｂと、側壁部２３ｂの一端に連なる底部２３ｃと、側壁部２３ｂの他端に連なるフランジ部２３ｄとを有している。
【００２８】
各脚部材２１及び受け部材２３は、第１フレーム部材２４によって連結されている。すなわち、第１フレーム部材２４の一端部が脚部材２１に固定されているとともに、他端部が受け部材２３の側壁部２３ｂ及びフランジ部２３ｄに固定されている。
【００２９】
また、第１フレーム部材２４は、テーブル１（天板１０）の長手方向と直交する方向に延びる第２フレーム部材２５によって連結されている。そして、第１フレーム部材２４及び第２フレーム部材２５の連結部分には、支持板２６が取り付けられている。
【００３０】
支持板２６及び受け部材２３のフランジ部２３ｄは、天板１０の下面に当接するようになっている。ネジを、支持板２６及びフランジ部２３ｄに形成された穴部に貫通させるとともに、天板１０に形成された溝部に係合させることにより、天板１０が支持ユニット２０に固定される。
【００３１】
一方、天板１０の両端側に位置する一対の脚部材２１には、第３フレーム部材２７が連結されている。また、第３フレーム部材２７には、天板１０の長手方向に延びる２つの第４フレーム部材２８が連結されている。そして、第３フレーム部材２７及び第４フレーム部材２８によって、棚部材２２が支持されている。
【００３２】
上述した支持ユニット２０を構成する各部材の材質としては、いかなる材質を用いてもよく、例えば、スチールや木を用いることができる。
【００３３】
上述した構成のテーブル１において、図７に示すように、雑誌などの仕切り物３を、天板１０のスリット部１１に貫通させるとともに、支持ユニット２０の受け部材２３に挿入させると、仕切り物３の一部が天板１０の上面から突出した状態となる。
【００３４】
ここで、受け部材２３の深さ、すなわち、受け部材２３におけるフランジ部２３ｄから底部２３ｃまでの距離は、適宜設定することができるが、仕切り物３を受け部材２３に挿入したときに、仕切り物３が天板１０の上面から所定量だけ突出するように受け部材２３の深さが設定される。
【００３５】
これにより、天板１０の上面から突出した仕切り物３が卓球の専用ネットと同等の機能を果たすことになり、仕切り物３をスリット部１１及び受け部材２３に挿入するだけで、簡易な卓球を手軽に行うことができる。
【００３６】
仕切り物３は、受け部材２３の側壁部２３ｂやスリット部１１の側壁に当接するため、卓球ボールが仕切り物３に衝突しても、仕切り物３が倒れてしまうことはない。ここで、スリット部１１の幅や互いに向かい合う側壁部２３ｂの間隔は、仕切り物３を天板１０の上面に対して略直交する面内で支持できるような値（仕切り物３の厚みと略等しい値）に設定されている。
【００３７】
本実施例では、スリット部１１の側壁と、受け部材２３の側壁部２３ｂとによって、仕切り物３が倒れないように支持しているが、スリット部１１だけで仕切り物３を支持することもできる。すなわち、天板１０にスリット部１１を形成するとともに、仕切り物３の端部と当接して、仕切り物３の一部を天板１０の上面から突出させる受け部材（受け部材２３の底部２３ｃに相当する部分を有する部材）を設けることができる。
【００３８】
ここで、上述した構成の受け部材には、スリット部１１から離れた位置で、受け部材２３の側壁部２３ｂに相当する部分（側壁部分）を設けることができる。そして、この側壁部分の間隔は、側壁部２３ｂの間隔よりも広く設定することができる。このように構成しても、仕切り物３を天板１０の上面に対して略直交する面内で立たせておくことができる。
【００３９】
また、側壁部分をスリット部１１から離れた位置に設けた場合には、スリット部１１を貫通した仕切り物３が受け部材に容易に挿入されるように、側壁部分のうち仕切り物の挿入口側の領域を傾斜面（スリット部１１側を向く傾斜面）とすることもできる。
【００４０】
一方、仕切り物３として、厚みの薄い本を用いた場合には、本を開いた状態でスリット部１１に挿入しておくこともできる。この場合には、開いた状態の本がスリット部１１の側壁に圧接することになり、本をスリット部１１内で固定させておくことができる。また、図７に示すように、少なくとも２つの仕切り物３の一部が互いに重なるような状態で、仕切り物３をスリット部１１に挿入させれば、仕切り物３をスリット部１１内で固定させておくことができる。すなわち、複数の仕切り物３の互いに重なった部分が、スリット部１１の側壁に圧接することになるため、複数の仕切り物３をスリット部１１内で動くことなく支持させておくことができる。
【００４１】
仕切り物３をスリット部１１及び受け部材２３に挿入しない状態では、テーブル１を通常のテーブルとして用いることができる。ここで、天板１０のスリット部１１を塞ぐカバー部材を用いれば、天板１０の上面全体をフラットにすることができ、スリット部１１が、通常のテーブルとして使用する際の妨げとなるのを防止することができる。
【００４２】
本実施例では、上述したように１つの板状部材を曲げ形成することによって受け部材２３を形成しているが、側壁部２３ｂに相当する部分をそれぞれ有する２つの構成部材によって受け部材２３を構成し、これら構成部材を相対的にスライドさせるように構成することができる。
【００４３】
具体的には、側壁部分（側壁部２３ｂに相当する）及び底部分（底部２３ｃに相当する）を有する２つの構成部材を設け、これら構成部材の底部分が互いに重なるように配置する。そして、２つの構成部材のうち一方の構成部材を、他方の構成部材に対して底部分でスライド可能となるように構成することができる。
【００４４】
ここで、スライド可能な構成としては、一方の構成部材に突起部を形成し、他方の構成部材に上記突起部と係合するガイド部を形成することができる。そして、２つの構成部材が所定の位置関係にあるときに、ネジ止め等によって２つの構成部材を固定することができる。
【００４５】
このように構成すれば、少なくとも一方の構成部材をスライドさせることによって、仕切り物３の厚みに応じて側壁部分の間隔を変更することができる。これにより、仕切り物３の厚みに拘わらず、２つの構成部材によって仕切り物３を保持することができるとともに、仕切り物３が天板１０の上面に対して傾いてしまうのを抑制することができる。
【００４６】
一方、受け部材２３を、側壁部２３ｂ及びフランジ部２３ｄに相当する部分をそれぞれ有する第１構成部材及び第２構成部材と、底部２３ｃに相当する部分（底部分）及び側壁部分を有する第３構成部材とで構成することができる。そして、第３構成部材を第１及び第２構成部材に対してテーブル１の上下方向（図２の上下方向）にスライドさせることによって、第３構成部材の底部分の位置を調整することができる。
【００４７】
具体的には、第３構成部材の側壁部分に突起部を設けるとともに、第１及び第２構成部材の側壁部分に、上記突起部と係合し、テーブル１の上下方向に延びるガイド部を設ける。そして、ネジ止め等によって、第３構成部材を第１及び第２構成部材に対して任意の位置で固定させることができる。
【００４８】
また、上記突起部を弾性変形可能な構成（例えば、板バネ）にするとともに、上記ガイド部に突起部と係合する溝部を設けることもできる。
【００４９】
上述したように第３構成部材を第１及び第２構成部材に対してテーブル１の上下方向でスライド可能な構成にすれば、仕切り物３の大きさに応じて底部分の位置を調整でき、天板１０の上面に対する仕切り物３の突出量を調整することができる。これにより、仕切り物３を最適な高さ（天板１０の上面に対する突出量）に設定して、卓球を行うことができる。
【００５０】
次に、本実施例の変形例であるテーブルについて説明する。上述した実施例１では、天板１０のスリット部１１を略直線状に形成しているが、本変形例では、図８に示すように、曲率をもった波形状のスリット部１１’を天板１０’に形成している。
【００５１】
この場合には、受け部材が、スリット部の形状に対応した形状となっている。すなわち、受け部材の側壁部（側壁部２３ｂに対応する）がスリット部１１’の側壁に沿った形状に形成されているとともに、受け部材の底部（底部２３ｃに対応する）がスリット部の形状に沿った形状に形成されている。なお、スリット部１１’及び受け部材以外の構成については、実施例１と同様である。
【００５２】
本変形例によれば、スリット部１１’が曲率を有しているため、仕切り物３はスリット部１１’の曲率に応じて曲げられた状態でスリット部１１’に挿入される。このように構成すれば、スリット部１１’の幅よりも薄い厚みを有する仕切り物３（例えば、１枚の用紙や新聞紙）を用いた場合でも、仕切り物３を曲げた状態で立たせておくことができ、仕切り物３の剛性を向上させることができる。すなわち、仕切り物３のうち天板１０’の上面から突出した部分が、仕切り物３を立たせた状態に対して折れ曲がってしまうのを抑制することができる。
【００５３】
本変形例では、スリット部１１’に曲率をもたせればよく、具体的形状（波形の振幅や波長に相当するもの）については適宜設定することができる。
【００５４】
一方、スリット部に曲率をもたせる代わりに、ギザギザとなるようにスリット部を形成してもよい。言い換えれば、第１の方向に延びる第１スリット部と、第１の方向とは異なる第２の方向に延びる第２スリット部とが交互に形成されたスリット部としてもよい。ここで、第１及び第２の方向とは、天板１００の長手方向及び該長手方向と直交する方向（スリット部１１の延びる方向）とは異なる方向である。
【００５５】
また、上述した第１スリット部及び第２スリット部と、天板１０’の長手方向に対して略直交する方向に延びる第３スリット部とを組み合わせて、１つのスリット部を構成することもできる。具体的には、図９（Ａ）〜（Ｃ）に示すように、スリット部を形成することができる。
【００５６】
上述したように構成しても、厚みの薄い仕切り物３をスリット部に挿入することによって、仕切り物３が折れ曲がってしまうのを防止することができる。ここで、本願請求項における波形状とは、上述したスリット部のすべての形状を含むものである。
【００５７】
上述した実施例及び変形例では、天板に１つのスリット部を形成した場合について説明したが、複数のスリット部を形成することもできる。具体的には、上述した１つのスリット部の軌跡に沿うように複数のスリット部を所定の間隔（卓球ボールの径よりも小さい間隔）を空けて形成することができる。
【００５８】
この場合には、各スリット部に仕切り物３を挿入することで、各仕切り物３を天板の上面から突出させることができる。しかも、隣り合うスリット部の間隔を卓球ボールの径よりも小さくなるように設定することで、各スリット部に挿入された仕切り物３の間を卓球ボールが通過してしまうのを阻止することができる。
【図面の簡単な説明】
【００５９】
【図１】本発明の実施例１であるテーブルの外観斜視図である。
【図２】実施例１であるテーブルの側面図である。
【図３】実施例１であるテーブルの上面図である。
【図４】天板の連結部分を示す図である（Ａ、Ｂ）。
【図５】実施例１のテーブルにおける支持ユニットを示す外観斜視図である。
【図６】支持ユニットのうち仕切り物を支持する部分の構成を示す図である。
【図７】実施例１であるテーブルの使用状態を示す外観斜視図である。
【図８】実施例１の変形例であるテーブルの外観斜視図である。
【図９】スリット部の変形例を示す図である（Ａ〜Ｃ）。
【符号の説明】
【００６０】
１：テーブル
１０：天板
１１：スリット部
２０：支持ユニット
２１：脚部材
２２：棚部材
２３：受け部材
２４：第１フレーム部材
２５：第２フレーム部材
【図１】
2006314579.tif 000003
【図２】
2006314579.tif 000004
【図３】
2006314579.tif 000005
【図４】
2006314579.tif 000006
【図５】
2006314579.tif 000007
【図６】
2006314579.tif 000008
【図７】
2006314579.tif 000009
【図８】
2006314579.tif 000010
【図９】
2006314579.tif 000011